(57)【要約】      （修正有）【課題】軽量で、１回で運搬できる量が多く、除雪の負担を軽減できる、除雪器具を提供する。【解決手段】最下部の雪を掘削するための鋭角な刃の部分１を設け、キャスター、車輪、タイヤ等、又は円形に近い滑らかで雪上で滑りの良い部分５を中心として掘削したい分だけ傾けて、取っ手２を引っ張る、牽引する、又は押すことで雪を掘削する。掘削した雪は、後部に付属した軽量で滑りの良い格納袋等の格納部分３に格納され、掘削が終わったら掘削部分１を雪に当たらないようにし、又は格納部分３を本体から取り外し可能なようにして、運搬し、雪捨て場で格納部分３の最後部や上部のホックやジッパー等の結び部分４を開放することで、雪を捨てることができる。【選択図】図１
2014152544.tif 000002
【特許請求の範囲】
【請求項１】
効率的な除雪器具は、最下部に雪を掘削するための掘削刃等の掘削部分があり、掘削したい分だけ傾けて、引っ張る、牽引する、又は押すことで雪を掘削し、かつ、後部に付属した軽量で滑りの良い格納袋等の格納構造を有した格納部分に掘削した雪を格納し、１回当たりの運搬量を増加させて、掘削が終わったら掘削部分を雪に当たらないようにし、又は格納部分を本体から取り外し可能なようにして、運搬し、雪捨て場で格納部分の最後部や上部のホックやジッパー等の結び部分を開放することで、雪を捨てることができる。
以上の特徴をもつ、効率的な除雪器具。
【請求項２】
請求項１の技術を応用した、従来の除雪器具（スノーダンプ、スコップ等）に付属できる、又は同時に使用して雪を運搬できる格納袋等の格納構造を有した格納部分。
【発明の詳細な説明】
【技術分野】
【０００１】
本発明は、除雪器具に関わり、特に雪を効率的に運搬するための構造を付加した除雪器具に関するものである。
【背景技術】
【０００２】
従来の除雪器具のスコップ、シャベル等は、スコップ自体の重量と雪の重量を持ち上げる作業が必要であり、１回で運搬できる量が少ないので体に負担がかかり、時間もかかる。スノーダンプは雪上を滑らすことで雪の重量の負担を軽減できるが、スノーダンプ自体の重量が重く、１回で運搬できる量も限られ、特に軽い雪質の場合は雪より除雪道具の重量割合が高くなり効率的ではなく、保管の収納スペースも大きい。
いずれも、広い面積を除雪するには何回もの作業が必要で体への負担が大きく、作業時間がかかり、人によっては腰を痛めたり、体を痛める原因になっている。
特許文献１は車輪等を使って移動し易くしたものだが、車輪等を使うことそのものについては、既に昔から二輪台車、ネコ車、リヤカー、旅行用スーツケースその他でごく一般的なことである。
問題は除雪方法がどうかという点で、特許文献１では雪を押して移動させるだけであり、1回の作業による運搬量が増す訳でもなく、作業回数や作業時間が減る訳でもないので、少ない作業回数や作業時間で、負担が少なく作業できる方法があれば望ましい。
【先行技術文献】
【特許文献】
【０００３】
【特許文献１】特開２０１１-１０６２２１号
【発明の概要】
【発明が解決しようとする課題】
【０００４】
冬季降雪地域では、除雪作業が重労働で、高齢者や女性にとっては大変な作業である。
従来のスコップ、シャベル等は、スコップ自体の重量と雪の重量を持ち上げる作業が必要であり、１回で運搬できる量が少ないので体に負担がかかり、時間もかかる。スノーダンプは雪上を滑らすことで雪の重量の負担を軽減できるが、スノーダンプ自体の重量が重く、１回で運搬できる量も限られ、特に軽い雪質の場合は雪より除雪道具の重量割合が高くなり効率的ではなく、保管の収納スペースも大きい。
スコップ等と二輪台車等の二種類の道具を所有して、運搬は二輪台車で行えば効率的かも知れないが、一般家庭では所有できない場合が大多数であろう。
いずれも、広い面積を除雪するには何回もの作業が必要で体への負担が大きく、作業時間がかかり、人によっては腰を痛めたり、体を痛める原因になっている。
雪国では毎年の問題で、高齢化社会の社会問題になっている。
【課題を解決するための手段】
【０００５】
本発明の効率的な除雪器具は、最下部に雪を掘削するための鋭角な刃の部分があり、最上部の取っ手を持って、キャスター、車輪、タイヤ等、又は円形に近い滑らかで雪上で滑りの良い部分を中心として掘削したい分だけ傾けて、取っ手を引っ張る、牽引する、又は押すことで雪を掘削する。
掘削した雪は、後部に付属した軽量で滑りの良い格納袋等の格納部分に格納され、１回当たりの運搬量が増加する。
格納部分は雪上で滑りやすい素材にして、掘削が終わったら掘削部分を雪に当たらないようにし、又は格納部分を本体から取り外し可能なようにして、運搬し、雪捨て場で格納部分の最後部や上部のホックやジッパー等の結び部分を開放することで、雪を捨てることができる。
以上のような特徴を持った、除雪器具である。
雪以外でも、落ち葉掃除等の収集運搬道具としての使用も可能になる。
【発明の効果】
【０００６】
本発明によって、高齢者や女性にとっては大変な作業である除雪作業が、除雪道具の重量が軽減され、道具自体の重量と雪の重量を持ち上げる作業がいらず、１回で運搬できる量が増加して、効率的で、体への負担が少ない除雪作業ができるようになり、広い面積を除雪するための作業回数も軽減できる。
雪以外でも、落ち葉掃除等の収集運搬道具としての使用も可能になる。
【図面の簡単な説明】
【０００７】
【図１】構造物の全体斜視図（積雪深がひざ下程度で、作業者が先行して引っ張る例）
【図２】構造物の全体斜視図（積雪深が高い地域で作業者が先行できず、直立して押す例、運搬量を高めた例。底面の掘削面以外は、太線で表示したフレーム等に布状、袋状の格納部分を取り外し可能な方法で付属して軽量化した例。）
【図３】キャスター等を使用しない場合の底面構造の例
【発明を実施するための形態】
【０００８】
本発明の効率的な除雪器具は、最下部に雪を掘削するための鋭角な刃の部分があり、最上部の取っ手を持って、キャスター、車輪、タイヤ等、又は円形に近い滑らかで雪上で滑りの良い部分を中心として掘削したい分だけ傾けて、取っ手を引っ張る、牽引する、又は押すことで雪を掘削する。
掘削部分の掘削刃の材料は、氷状態になった雪を破砕するために、硬い金属等を先端に使用するのが前提だが、使用する条件によって、地面のアスファルト等に傷をつけないために、様々な材料の検討が必要である。
氷を破砕するために、掘削刃の先端が三角形に尖っていたり、ギザギザになっていてもよい。
引っ張る場合、取っ手部分を掘削部分より長い棒状の取っ手等にして、てこの原理で引っ張ってもよい。
掘削した雪は、後部に付属した軽量で滑りの良い格納袋等の格納部分に格納され、１回当たりの運搬量が増加する。
格納部分は雪上で滑りやすい素材にして、掘削が終わったら掘削部分を雪に当たらないようにし、又は格納部分を本体から取り外し可能なようにして、運搬し、雪捨て場で格納部分の最後部や上部のホックやジッパー等の結び部分を開放することで、雪を捨てることができる。
雪以外でも、落ち葉掃除等の収集運搬用具としての使用も可能になる。
以上に説明したように、本発明によれば、一度に多量の雪が運搬可能で、掘削した雪の排出も容易である、効率的な除雪器具を提供できる。
なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【産業上の利用可能性】
【０００９】
本発明によって、高齢者や女性にとってはたいへんな作業である除雪作業が、除雪道具の重量が軽減され、道具自体の重量と雪の重量を持ち上げる作業がいらず、１回で運搬できる量が増加して、効率的で、体への負担が少ない除雪作業ができるようになり、広い面積を除雪するための作業回数も軽減できる。
また、電動やエンジン等の動力で自走する除雪機や、トラクターや車両等で牽引する装置に応用する検討も可能になる。
また、キャスター等を省略してテント等で使用するようなポール等で軽量化すれば、登山やアウトドアにおけるスコップより軽量な除雪道具として活用することも可能になる。
このような商品の場合、上部を手でもって、最下部を足で押すことで、てこの原理で十分な力が加わり、最下部の掘削刃の先端だけに硬い金属等の材質を用いれば、他の材料は軽量な材質で可能なので、軽量化が可能になる。
雪以外でも、落ち葉掃除等の収集運搬用具としての使用も可能になる。
本技術を応用して、従来のスノーダンプのそり部分最後端から取っ手部分にかけて後付で付属できる格納袋等や、スコップ、シャベル等と同時に使用して雪を運搬できる格納袋等の格納部分を開発することも可能になる。
【符号の説明】
【００１０】
１  掘削刃等の掘削部分
２  取っ手部分
３  格納袋等の格納部分（取り外し可能が望ましい）
４  ホック、ジッパー等の結び部分
５  キャスター、車輪、タイヤ等又は円形に近い滑らかで滑りの良い部分
６  運搬時滑走面
７  掘削時滑走面
【図１】
2014152544.tif 000003
【図２】
2014152544.tif 000004
【図３】
2014152544.tif 000005